(57)【特許請求の範囲】
【請求項１】
複数の加熱部と、当該複数の加熱部夫々の加熱力を、設定間隔で直線状に配置した複数の発光部にて表示する複数の加熱力表示部とが設けられ、
前記複数の加熱力表示部が、隣接する加熱力表示部の間に前記設定間隔よりも大きな区分間隔を隔てる状態でかつ複数の加熱力表示部が備える前記発光部の全てを直線状に並べる状態で設けられた加熱調理器であって、
前記複数の加熱力表示部が、前記発光部に対向する位置に設けた電装基板に前記発光部と平行状に配置した複数の発光体と、当該発光体の光を前記発光部に各別に導く複数の導光路を有する導光体とを備える形態に構成され、
前記複数の加熱力表示部の夫々の複数の前記発光体が、前記設定間隔よりも大きな設置間隔にて直線状に並ぶ状態で設けられ、且つ、前記複数の加熱力表示部の夫々の複数の前記発光体からなる複数の発光体群が、隣接する発光体群との間に前記区分間隔よりも小さな分離間隔を隔てる状態で設けられ、
前記複数の導光路の夫々が、前記発光部の並び方向に沿う幅を前記発光体に臨む入光部から前記発光部に臨む出光部に向けて漸次幅狭とする形態に構成されている加熱調理器。
【請求項２】
前記複数の加熱力表示部における全ての前記発光部のうちの両端に位置する前記発光部と、その発光部に対応する前記発光体とが、前記発光部の並び方向に沿う方向において同じ位置に位置するように構成されている請求項１記載の加熱調理器。
【請求項３】
前記複数の加熱部が、天板の上部の被加熱物を加熱する形態で設けられ、
前記複数の加熱力表示部が、前記天板の手前側箇所に装備されている請求項１又は２記載の加熱調理器。
【請求項４】
前記導光体が、前記発光部の並び方向に沿う姿勢で、前記発光体と前記発光部との遠近方向と直交する方向において対向配置する帯板状の一対の光路形成部材と、それら一対の光路形成部材のうちの一方側の部材に他方側の部材に向けて突設した複数の仕切材とから構成され、
前記一対の光路形成部材のうちの前記他方側の部材に、前記仕切材の先端が嵌合する嵌合溝が前記発光体と前記発光部との遠近方向に沿う状態に形成され、
前記仕切材が嵌合した一対の前記光路形成部材を挿入して離間を規制する枠体が、前記発光体群に対応する箇所に設けられている請求項１〜３のいずれか１項に記載の加熱調理器。
【請求項５】
前記一対の光路形成部材に、前記仕切材の先端を嵌合させた状態において、前記一対の光路形成部材の前記発光体と前記発光部との遠近方向での移動を規制する状態に係合する係合部が設けられている請求項４記載の加熱調理器。
【発明の詳細な説明】
【技術分野】
【０００１】
本発明は、複数の加熱部と、当該複数の加熱部夫々の加熱力を、設定間隔で直線状に配置した複数の発光部にて表示する複数の加熱力表示部とが設けられ、
前記複数の加熱力表示部が、隣接する加熱力表示部の間に前記設定間隔よりも大きな区分間隔を隔てる状態でかつ複数の加熱力表示部が備える前記発光部の全てを直線状に並べる状態で設けられた加熱調理器に関する。
【背景技術】
【０００２】
かかる加熱調理器は、例えば、天板の上部の被加熱物を加熱する複数の加熱部を備える場合において、複数の加熱部夫々の加熱力を、複数の加熱力表示部の複数の発光部を発光させることにより表示させるようにしたものである。
そして、複数の加熱力表示部が備える発光部の全てを直線状に並べる状態にすることにより、例えば、天板の手前側箇所等、狭い場所にも複数の加熱力表示部を適切に配置できることになり、しかも、複数の加熱力表示部の夫々が備える発光部を、隣接する加熱力表示部の間に設定間隔よりも大きな区分間隔を隔てる状態で並べることにより、複数の加熱力表示部を区別しながら、加熱力表示部の夫々に表示される加熱力を適切に読み取ることができることになる（例えば、特許文献１参照。）。
【０００３】
ちなみに、特許文献１の加熱調理器においては、複数の加熱部として、天板の手前側の左右両側部に誘導加熱コイルを設け、天板の後方側の左右中央部にラジエントヒータを設けている。そして、天板の手前側箇所に、３つの加熱力表示部が、左右の誘導加熱コイルの前側箇所にも伸びる横長状態で設けられている。
【０００４】
また、特許文献１においては、発光部がＬＥＤにて発光させることが記載されているものの、複数の加熱力表示部の構成についての詳細な説明が省略されている。
【先行技術文献】
【特許文献】
【０００５】
【特許文献１】特開平１１−２４１２号公報
【発明の概要】
【発明が解決しようとする課題】
【０００６】
複数の加熱力表示部は、一般に、発光部に対向する位置に設けた電装基板に、発光部と平行状に配置した複数の発光体を備える形態に構成されることになる。
例えば、複数の加熱力表示部を、天板の手前側箇所に設ける場合には、発光部に対向する位置としての、天板の下方側位置に電装基板を配置し、その電装基板に、ＬＥＤ等の発光体を発光部に対して平行する状態で配置することになる。
【０００７】
そして、複数の加熱力表示部を設けるにあたり、複数の加熱力表示部をコンパクトに配置することが望まれる場合がある。
特に、複数の加熱部として、複数のコンロバーナを天板に設ける場合においては、例えば、天板の手前側の左右両側部に設けたコンロバーナの間に相当する箇所に、複数の加熱力表示部をコンパクトに配置することが望まれる。
【０００８】
本発明は、上記実状に鑑みて為されたものであって、その目的は、発光部を適切に発光させるようにしながらも、複数の加熱力表示部のコンパクト化を図ることができる加熱調理器を提供する点にある。
【課題を解決するための手段】
【０００９】
本発明の加熱調理器は、複数の加熱部と、当該複数の加熱部夫々の加熱力を、設定間隔で直線状に配置した複数の発光部にて表示する複数の加熱力表示部とが設けられ、
前記複数の加熱力表示部が、隣接する加熱力表示部の間に前記設定間隔よりも大きな区分間隔を隔てる状態でかつ複数の加熱力表示部が備える前記発光部の全てを直線状に並べる状態で設けられたものであって、その特徴構成は、
前記複数の加熱力表示部が、前記発光部に対向する位置に設けた電装基板に前記発光部と平行状に配置した複数の発光体と、当該発光体の光を前記発光部に各別に導く複数の導光路を有する導光体とを備える形態に構成され、
前記複数の加熱力表示部の夫々の複数の前記発光体が、前記設定間隔よりも大きな設置間隔にて直線状に並ぶ状態で設けられ、且つ、前記複数の加熱力表示部の夫々の複数の前記発光体からなる複数の発光体群が、隣接する発光体群との間に前記区分間隔よりも小さな分離間隔を隔てる状態で設けられ、
前記複数の導光路の夫々が、前記発光部の並び方向に沿う幅を前記発光体に臨む入光部から前記発光部に臨む出光部に向けて漸次幅狭とする形態に構成されている点にある。
【００１０】
すなわち、複数の加熱力表示部が、発光部に対向する位置に設けた電装基板に発光部と平行状に配置した複数の発光体と、当該発光体の光を発光部に各別に導く複数の導光路を有する導光体とを備える形態に構成されることになる。
【００１１】
そして、複数の加熱力表示部の夫々の複数の発光体を、発光部の設定間隔よりも大きな設置間隔にて直線状に並べるものであるから、換言すれば、複数の発光体の設置間隔よりも発光部を配置する設定間隔を小さくするものであるから、複数の加熱力表示部の発光部を複数の発光体の設置間隔よりも小さな設定間隔にて並べることにより、加熱力表示部のコンパクト化を図ることができる。
【００１２】
説明を加えると、発光体の設置間隔は、発光体の大きさ等により、その最小の大きさが制限されることになるが、その発光体の設置間隔よりも小さな設定間隔にて発光部を配置することにより、発光部の設定間隔を、発光体の最小の設置間隔よりも小さくすることにより、加熱力表示部のコンパクト化を図ることができる。
【００１３】
しかも、複数の加熱力表示部の夫々の複数の発光体からなる複数の発光体群が、隣接する発光体群との間に、隣接する加熱力表示部の間の区分間隔よりも小さな分離間隔を隔てる状態で設けられているから、複数の発光体を備える電装基板の大型化を回避できる。
【００１４】
説明を加えると、隣接する発光体群の間の分離間隔を、隣接する加熱力表示部の間の区分間隔と同程度の大きさにすると、複数の発光体を備える電装基板が大型化する不都合があるが、分離間隔を区分間隔よりも小さくすることによって、電装基板の大型化を回避できる。
【００１５】
さらに、発光体の設置間隔よりも小さな設定間隔にて発光部を配置し、かつ、隣接する発光体群との間に、隣接する加熱力表示部の間の区分間隔よりも小さな分離間隔を有する状態としながらも、発光体の光を対応する発光部に向けて導光体にて導光するものであるから、複数の加熱力表示部の発光部を、発光体の光にて適切に発光させることができる。
【００１６】
説明を加えると、導光体の複数の導光路における発光部の並び方向に沿う幅を、発光体に臨む入光部から発光部に臨む出光部に向けて漸次幅狭とする形態にすることにより、発光体の設置間隔よりも小さな設定間隔にて発光部を配置し、かつ、隣接する発光体群との間に、隣接する加熱力表示部の間の区分間隔よりも小さな分離間隔を有する状態としながらも、発光体の光を対応する発光部に向けて適切に導光させることができるのである。
【００１７】
要するに、本発明の加熱調理器によれば、発光部を適切に発光させるようにしながらも、複数の加熱力表示部のコンパクトを図ることができる。
【００１８】
本発明の加熱調理器の更なる特徴構成は、前記複数の加熱力表示部における全ての前記発光部のうちの両端に位置する前記発光部と、その発光部に対応する前記発光体とが、前記発光部の並び方向に沿う方向において同じ位置に位置するように構成されている点にある。
【００１９】
すなわち、複数の加熱力表示部における全ての発光部のうちの両端に位置する発光部と、その発光部に対応する発光体とが、発光部の並び方向に沿う方向において同じ位置に位置するものであるから、全ての発光体について、発光体と対応する発光部とが、発光部の並び方向に沿う方向において大きく位置ずれしないようにすることができるため、発光体の光を導光体の導光路にて大きな減衰を生じることなく導き易いものとなるため、発光部を良好に発光させることができる。
【００２０】
つまり、発光体とその発光体に対応する発光部とが、発光部の並び方向に沿う方向において大きく位置ずれすると、発光体の光を導光体の導光路にて発光部に導くにしても、大きな減衰を生じ易いものとなるが、全ての発光体について、発光体と対応する発光部とが、発光部の並び方向に沿う方向において大きく位置ずれしないようにすることができるため、発光体の光を導光体の導光路にて大きな減衰を生じることなく導いて、発光部を良好に発光させることができる。
【００２１】
要するに、本発明の加熱調理器の更なる特徴構成によれば、発光部を良好に発光させることができる。
【００２２】
本発明の加熱調理器の更なる特徴構成は、前記複数の加熱部が、天板の上部の被加熱物を加熱する形態で設けられ、
前記複数の加熱力表示部が、前記天板の手前側箇所に装備されている点にある。
【００２３】
すなわち、複数の加熱力表示部が、加熱力表示部の夫々が備える発光部の全てを直線状に並べる状態で設けるものであるから、天板の手前側箇所にも複数の加熱力表示部を適切に配置できることになる。
また、複数の加熱力表示部の夫々が備える発光部を、隣接する加熱力表示部の間に設定間隔よりも大きな区分間隔を隔てる状態で並べることにより、複数の加熱力表示部を区別しながら、加熱力表示部の夫々に表示される加熱力を適切に読み取ることができることになる。
【００２４】
しかも、発光体の設置間隔よりも小さな設定間隔にて発光部を配置して、加熱力表示部のコンパクト化を図ることができるものであるから、例えば、加熱部としてのコンロバーナを天板の左右に配置する場合において、左右のコンロバーナの間に入り込ませる状態で複数の加熱力表示部を配置することができる等、天板の大型化を抑制しながら、加熱部の火力を適切に表示することができる。
【００２５】
要するに、本発明の加熱調理器の更なる特徴構成によれば、天板の大型化を抑制しながら、加熱部の火力を適切に表示することができる。
【００２６】
本発明の加熱調理器の更なる特徴構成は、前記導光体が、前記発光部の並び方向に沿う姿勢で、前記発光体と前記発光部との遠近方向と直交する方向において対向配置する帯板状の一対の光路形成部材と、それら一対の光路形成部材のうちの一方側の部材に他方側の部材に向けて突設した複数の仕切材とから構成され、
前記一対の光路形成部材のうちの前記他方側の部材に、前記仕切材の先端が嵌合する嵌合溝が形成され、
前記仕切材が嵌合した一対の前記光路形成部材を挿入して離間を規制する枠体が、前記発光体群に対応する箇所に設けられている点にある。
【００２７】
すなわち、仕切材を備えた光路形成部材と嵌合溝を備えた光路形成部材とを、仕切材の先端を嵌合溝に嵌合させた状態にし、仕切材が嵌合した一対の光路形成部材を枠体に挿入することにより、導光体を形成することができる。
【００２８】
そして、仕切材を備える光路形成部材及び嵌合溝を備える光路形成部材は、合成樹脂の成型加工により容易に製作できるものであり、しかも、仕切材が嵌合した一対の光路形成部材を枠体に挿入することにより、一対の光路形成部材を仕切材が嵌合した状態に保持できるものであるから、導光体の製作の簡素化を図ることができる。
【００２９】
要するに、本発明の加熱調理器の更なる特徴構成によれば、導光体の製作の簡素化を図ることができる。
【００３０】
本発明の加熱調理器の更なる特徴構成によれば、前記一対の光路形成部材に、前記仕切材の先端を嵌合させた状態において、前記一対の光路形成部材の前記発光体と前記発光部との遠近方向での移動を規制する状態に係合する係合部が設けられている点にある。
【００３１】
すなわち、一対の光路形成部材を仕切材の先端を嵌合溝に嵌合させた状態にしたときに、一対の光路形成部材に設けた係合部が係合することにより、一対の光路形成部材の発光体と発光部との遠近方向での移動が規制される。
【００３２】
このように、仕切材を嵌合させた一対の光路形成部材における発光体と発光部との遠近方向での移動を規制できるから、仕切材が嵌合した一対の光路形成部材を枠体に挿入する際に、一対の光路形成部材における発光体と発光部との遠近方向でのずれ動きを規制しながら、一対の光路形成部材を枠体に適切に挿入して、導光体を適切に形成できる。
【００３３】
要するに、本発明の加熱調理器の更なる特徴構成によれば、一対の光路形成部材を枠体に適切に挿入して、導光体を適切に形成できる。
【図面の簡単な説明】
【００３４】
【図１】ガスコンロの斜視図
【図２】ガスコンロの天板を外した状態の斜視図
【図３】冷却用ケースの斜視図
【図４】電装基板の収納ケースの斜視図
【図５】電装基板の斜視図
【図６】加熱力表示部の平面図
【図７】加熱力表示部の分解斜視図
【図８】導光体の分解斜視図
【図９】加熱力表示部の縦断正面図
【図１０】光路形成部材の係合状態を示す縦断側面図
【図１１】枠体と導光体との関係を示す分解正面図
【図１２】火力表示状態を示す説明図
【発明を実施するための形態】
【００３５】
〔実施形態〕
以下、本発明の実施形態を図面に基づいて説明する。
（ガスコンロの全体構成）
図１及び図２に示すように、ビルトイン式のガスコンロＧＣが、コンロ本体Ｈの上面部に、コンロバーナ１（加熱部の一例）として、１３段階に加熱力（火力）が調節される標準火力バーナ１Ａ、９段階に加熱力（火力）が調節される小火力バーナ１Ｂ、及び、１３段階に加熱力（火力）が調節される大火力バーナ１Ｃを備え、且つ、コンロ本体Ｈの横幅方向中央部に、グリルＧ（図４参照）を備える形態に構成されている。
【００３６】
ちなみに、本実施形態においては、標準火力バーナ１Ａと大火力バーナ１Ｃとが、天板３の手前側箇所に、左右に並ぶ状態で設けられ、小火力バーナ１Ｂが、天板３の奥側箇所の中央部に設けられている。
【００３７】
コンロ本体Ｈは、図２に示すように、上部が開口された箱状の金属製のケーシング２を主要部として構成されている。そして、図１に示すように、コンロ本体Ｈの上部には、ガラス製の天板３が配置され、天板３の後部側には、グリルＧの調理排気を排気するためのグリル排気口４が形成されている。
【００３８】
天板３の上部には、コンロバーナ１にて加熱される鍋等の被加熱物を載置するための五徳５が、３つのコンロバーナ１の夫々に対応して設けられている。
尚、コンロバーナ１の中央部には、鍋等の被調理物の存在及び被調理物の底壁温度を検出するコンロバーナセンサ１Ｓが設けられている。
【００３９】
図１及び図２に示すように、天板３の手前側箇所に設けた左右のコンロバーナ１の間に相当する箇所には、コンロバーナ１やグリルＧの運転に関する情報を表示画面に表示する液晶式の運転情報表示部Ｄ、及び、標準火力バーナ１Ａ、小火力バーナ１Ｂ及び大火力バーナ１Ｃの夫々の加熱力（火力）を表示する３つの加熱力表示部Ｆが設けられている。
つまり、四角状の運転情報表示部Ｄの手前側箇所に、３つの加熱力表示部Ｆが帯状に並ぶ状態で設けられている。
【００４０】
ちなみに、運転情報表示部Ｄ及び３つの加熱力表示部Ｆは、後述の如く、天板３の下方側箇所に配置され、天板３には、運転情報表示部Ｄ及び３つの加熱力表示部Ｆを視認するための透明部分が形成されるものであるが、ここでは、運転情報表示部Ｄ及び３つの加熱力表示部Ｆが天板３に設けられると記載した。
【００４１】
運転情報表示部Ｄにて表示する運転情報は、コンロバーナ１に対して設定される湯沸しや炊飯等の自動運転に関する情報や、グリルＧに設定される調理メニューの運転に関する情報であり、本実施形態においては、運転情報表示部Ｄに表示する運転情報についての詳細な説明は省略する。
【００４２】
３つの加熱力表示部Ｆは、標準火力バーナ１Ａに対応する左方側の第１表示部Ｆａ、小火力バーナ１Ｂに対応する左右中央側の第２表示部Ｆｂ、及び、大火力バーナ１Ｃに対応する右方側の第３表示部Ｆｃであり（図６参照）、その詳細は後述する。
【００４３】
コンロ本体Ｈの前側面におけるグリルＧの右側の上方箇所には、標準火力バーナ１Ａ、小火力バーナ１Ｂ及び大火力バーナ１Ｃの夫々に対して各別に点火及び消火や火力調節を指令するための３つのコンロ操作具６が設けられている。
コンロ操作具６は、押し操作されるごとに、点火指令と消火指令を交互に指令するように構成されている。
【００４４】
また、コンロ操作具６は、回転操作することにより、火力調節指令を指令するように構成されている。
すなわち、コンロ操作具６は、右側方向に設定角度回転操作するごとに、火力調節指令として火力増加指令を指令し、左側方向に設定角度回転操作するごとに、火力調節指令として火力減少指令を指令するように構成されている。
【００４５】
ちなみに、図示は省略するが、コンロバーナ１の燃焼を制御する運転制御部が、コンロ操作具６の回転状態を検出するセンサの検出情報に基づいて、コンロバーナ１の燃料供給量を調節する燃料調節弁を操作することにより、コンロバーナ１の加熱力（火力）が調節されるように構成されている。
【００４６】
（加熱力表示部の概要）
３つの加熱力表示部Ｆの夫々は、図６に示すように、設定間隔Ｌで直線状に配置した複数の発光部Ｅにて、コンロバーナ１の火力を表示するように構成されている。
すなわち、標準火力バーナ１Ａに対応する第１表示部Ｆａ、及び、大火力バーナ１Ｃに対応する第３表示部Ｆｃが、７個の発光部Ｅを備え、小火力バーナ１Ｂに対応する第２表示部Ｆｂが、５個の発光部Ｅを備えるように構成されている。
【００４７】
そして、図１２に示すように、標準火力バーナ１Ａに対応する第１表示部Ｆａは、１段階の火力のときには、左端の発光部Ｅを点灯させ、２段階の火力のときには、左端の発光部Ｅを点灯させたまま、左から２番目の発光部Ｅを点滅させ、３段階の火力のときには、点滅させている発光部Ｅを点灯状態に切換えるようにする。以下、４段階〜１３段階の火力についても同様に行われる。
【００４８】
また、大火力バーナ１Ｃに対応する第３表示部Ｆｃは、第１表示部Ｆａと同様の形態で発光部Ｅを発光させることにより、１段階〜１３段階の火力を表示するように構成されている。
さらに、小火力バーナ１Ｂに対応する第２表示部Ｆｂは、第１表示部Ｆａの第１段階〜第９段階と同様形態で、第１段階〜第９段階の火力を表示するように構成されている。
【００４９】
図６に示すように、３つの加熱力表示部Ｆが、隣接する加熱力表示部Ｆの間に、発光部Ｅを並べる設定間隔Ｌよりも大きな区分間隔Ｒを隔てる状態でかつ３つの加熱力表示部Ｆの夫々が備える発光部Ｅの全てを直線状に並べる状態で設けられている。
【００５０】
図５に示すように、３つの加熱力表示部Ｆは、電装基板８に装備されるものであって、当該電装基板８には、上述した運転情報表示部Ｄも装備されている。
つまり、電装基板８に装着される枠体９に、運転情報表示部Ｄ及び３つの加熱力表示部Ｆが組付けられている。尚、電装基板８には、電力及び制御信号の伝達用電線を接続するコネクタＣＮが設けられている。
【００５１】
そして、運転情報表示部Ｄ及び３つの加熱力表示部Ｆが組付けられ電装基板８（図５参照）は、図４に示すように、上下の分割ケース部分１０ａ、１０ｂからなる樹脂製の収納ケース１０の内部に、運転情報表示部Ｄ及び３つの加熱力表示部Ｆを上方側の分割ケース部分１０ｂから露出させる状態で収納される。
【００５２】
さらに、電装基板８を収納した収納ケース１０は、図３に示すように、運転情報表示部Ｄ及び３つの加熱力表示部Ｆを上方側に露出させた状態で、金属（鉄）製の冷却用ケース１１の内部に収納され、その冷却用ケース１１が、図２に示すように、天板３の下方に配置されることになる。
ちなみに、天板３は、図１に示すように、運転情報表示部Ｄ及び３つの加熱力表示部Ｆに対応する部分が透明窓に形成され、その他の部分は、黒色等に着色される等により、非透過状態に構成されている。
【００５３】
冷却用ケース１１には、冷却空気導入孔１１Ａ及び冷却空気排出孔１１Ｄが左右両端に位置する状態で形成され、冷却ファン（図示せず）の通風作用により、冷却空気導入孔１１Ａを通して導入した冷却空気を、冷却用ケース１１の内部を通して流動させた後に冷却空気排出孔１１Ｄを通して排出することにより、電装基板８及び収納ケース１０を冷却するように構成されている。
【００５４】
（加熱力表示部の詳細）
図９に示すように、３つの加熱力表示部Ｆが、発光部Ｅに対向する位置に設けた電装基板８に発光部Ｅと平行状に配置した複数の発光体１２と、当該発光体１２の光を発光部Ｅに各別に導く複数の導光路Ｂを有する導光体１３とを備える形態に構成されている。
尚、発光体１２は、ＬＥＤにて構成されている。
【００５５】
本実施形態においては、導光体１３の上部に位置する状態で枠体９に載置支持される発光板１４が設けられている。この発光板１４は、図６、図７及び図９に示すように、発光部Ｅを構成する四角状部分が半透明に形成され、その他の部分が黒色等の非透過状態に形成されている。尚、図９においては、発光板１４の半透明部分を白で示し、非透過部分を灰色状に示す。
つまり、本実施形態においては、発光板１４にて発光部Ｅが構成されている。
尚、図３〜図５においては、発光板１４の記載を省略して、導光体１３を露出させるようにしている。
【００５６】
図９に示すように、３つの加熱力表示部Ｆの夫々を構成する複数の発光体１２が、発光部Ｅの設定間隔Ｌよりも大きな設置間隔Ｍにて直線状に並ぶ状態で設けられている。
また、３つの加熱力表示部Ｆの夫々の複数の発光体１２からなる複数の発光体群が、隣接する発光体群との間に区分間隔Ｒよりも小さな分離間隔Ｓを隔てる状態で設けられている。
【００５７】
ちなみに、本実施形態においては、複数の加熱力表示部Ｆについての複数の発光体群を、加熱力表示部Ｆの区分間隔Ｒよりも小さな分離間隔Ｓを隔てる状態で設けるにあたり、発光体群のうちの、他の発光体群に隣接する端部の発光体１２同士の間隔を、発光体群を構成する発光体１２の設置間隔Ｍよりも大きな間隔で並べるように構成されている。
【００５８】
そして、複数の導光路Ｂが、発光体１２と対応する発光部Ｅとが発光部Ｅの並び方向で位置ずれしているものについては、傾斜させる形態で、かつ、発光部Ｅの並び方向に沿う幅を発光体１２に臨む入光部Ｂｉから発光部Ｅに臨む出光部Ｂｄに向けて漸次幅狭とする形態で構成されている。
尚、本実施形態においては、複数の導光路Ｂのうち、発光部Ｅの並び方向において両端に位置するものは、導光体１３に加えて、枠体９の一部を利用して構成されている。
【００５９】
図９に示すように、３つの加熱力表示部Ｆにおける全ての発光部Ｅのうちの両端に位置する発光部Ｅと、その発光部Ｅに対応する発光体１２とが、発光部Ｅの並び方向に沿う方向において同じ位置に位置するように構成されている。
したがって、複数の導光路Ｂのうち、発光部Ｅの並び方向において両端に位置する導光路Ｂや、発光部Ｅの並び方向において中央に位置する導光路Ｂが、左右に傾斜することなく上下方向に沿う状態に形成され、他の導光路Ｂが、左右に傾斜する形態で上下方向に沿う状態に形成されている。
【００６０】
つまり、他の導光路Ｂのうちで、左方側の第１表示部Ｆａの導光路Ｂが、右側に位置するものほど大きく左方側に傾斜する状態で左方側に傾斜し、右方側の第３表示部Ｆｃの導光路Ｂが、左方側に位置するものほど大きく右方側に傾斜する状態で右方側に傾斜するように構成されている。
また、他の導光路Ｂのうちで、左右中央側の第２表示部Ｆｂの導光路Ｂが、中央の導光路Ｂよりも左方側のものが、左方側に位置するものほど大きく右方側に傾斜する状態で右方側に傾斜し、中央の導光路Ｂよりも右方側のものが、右側に位置するものほど大きく左方側に傾斜する状態で左方側に傾斜するように構成されている。
【００６１】
図７及び図８に示すように、導光体１３が、発光部Ｅの並び方向に沿う姿勢で、発光体１２と発光部Ｅとの遠近方向に沿う方向（上下方向）と直交する方向（ガスコンロ前後方向）において対向配置する帯板状の一対の光路形成部材１３ａ、１３ｂと、それら一対の光路形成部材１３ａ、１３ｂのうちの一方側の光路形成部材１３ａに他方側の部材に向けて突設した板状の複数の仕切材１３ｃとから構成されている。
【００６２】
また、本実施形態においては、隣接する加熱力表示部Ｆの間に相当する位置には、中間仕切体１３ｄが三角形の突起状に形成されている。
この中間仕切体１３ｄにおける発光部Ｅの並び方向に沿う両端面部分が、図７に示すように、導光路Ｂを形成する仕切材１３ｃとして機能することになる。
【００６３】
図８に示すように、一対の光路形成部材１３ａ、１３ｂのうち、仕切材１３ｃを備えない側の光路形成部材１３ｂに、仕切材１３ｃの先端が嵌合する嵌合溝Ｋが、発光体１２と発光部Ｅとの遠近方向に沿う状態に形成されている。
【００６４】
また、一対の光路形成部材１３ａ、１３ｂに、仕切材１３ｃの先端を嵌合溝Ｋに嵌合させた状態において、一対の光路形成部材１３ａ、１３ｂの発光体１２と発光部Ｅとの遠近方向での移動を規制する状態に係合する係合部Ｖが設けられている。
本実施形態においては、図１０に示すように、係合部Ｖが、中間仕切体１３ｄにおける仕切材１３ｃを備えない側の光路形成部材１３ｂに対向する面部に三角状に形成した凹部Ｖａ（図７参照）と、仕切材１３ｃを備えない側の光路形成部材１３ｂに形成した３角状の凸部Ｖｂ（図８参照）とから構成されている。
【００６５】
また、発光体群に対応する箇所に設けられている上述した枠体９が、仕切材１３ｃが嵌合した一対の光路形成部材１３ａ、１３ｂを挿入して離間を規制した状態で保持するように構成されている。
つまり、図７に示すように、枠体９には、一対の光路形成部材１３ａ、１３ｂを挿入する挿入部Ｗが形成されている。
【００６６】
この挿入部Ｗは、一対の光路形成部材１３ａ、１３ｂをガスコンロ前後方向の移動を規制する一対の前後壁部Ｗａ、Ｗｂ（図１０参照）と、一対の光路形成部材１３ａ、１３ｂのガスコンロ横幅方向の移動を規制する一対の横受部Ｗｃ（図９参照）とに囲まれた形態の挿入口を備える状態に構成されている。
【００６７】
さらに、挿入部Ｗは、図１１に示すように、一対の光路形成部材１３ａ、１３ｂにおける横端部の第１被受止部１３Ｄの下方側への移動を規制する第１下受部Ｗｄと、一対の光路形成部材１３ａ、１３ｂにおける横端部１３Ｄよりも少し内方側の第２被受止部１３Ｅの下方側への移動を規制する第２下受部Ｗｅとを備えている。
【００６８】
ちなみに、第１下受部Ｗｄ及び第２下受部Ｗｅは、図７に示すように、枠体９における挿入部Ｗのガスコンロ横幅方向の端部に相当する箇所に下方に突出させる状態で設けた一対の受枠部９Ａに形成されている。
この受枠部９Ａは、ガスコンロ横幅方向視にて、Ｕ字状を呈するように構成され、そして、一対の光路形成部材１３ａ、１３ｂを受止めた状態において、上述の如く、複数の導光路Ｂのうち、発光部Ｅの並び方向において両端に位置するものを、導光体１３と協働して形成するように構成されている。
【００６９】
（実施形態のまとめ）
３つの加熱力表示部Ｆが、隣接する加熱力表示部Ｆの間に設定間隔Ｌよりも大きな区分間隔Ｒを隔てる状態でかつ３つの加熱力表示部Ｆが備える発光部Ｅの全てを直線状に並べる状態で設けるものであるから、天板３の手前側箇所にも３つの加熱力表示部Ｆを適切に配置できることになる。
また、３つの加熱力表示部Ｆの夫々が備える発光部Ｅを、隣接する加熱力表示部Ｆの間に設定間隔Ｌよりも大きな区分間隔Ｒを隔てる状態で並べることにより、３つの加熱力表示部Ｆを区別しながら、加熱力表示部Ｆの夫々に表示される火力（加熱力）を適切に読み取ることができることになる。
【００７０】
また、発光体１２の設置間隔Ｍよりも小さな設定間隔Ｌにて発光部Ｅを配置して、加熱力表示部Ｆのコンパクト化を図るため、天板３の左右に配置する左右のコンロバーナ１の間に入り込ませる状態で複数の加熱力表示部Ｆを配置するようにして、天板３の大型化を抑制しながら、加熱部としてのコンロバーナ１の火力（加熱力）を適切に表示することができる。
【００７１】
また、３つの加熱力表示部Ｆの夫々の複数の発光体１２からなる複数の発光体群を、隣接する発光体群との間に、隣接する加熱力表示部Ｆの間の区分間隔Ｒよりも小さな分離間隔Ｓを隔てる状態で設けることにより、複数の発光体１２を備える電装基板８の大型化を回避できる。
【００７２】
そして、発光体１２の設置間隔Ｍよりも小さな設定間隔Ｌにて発光部Ｅを配置し、かつ、隣接する発光体群との間に、隣接する加熱力表示部Ｆの間の区分間隔Ｒよりも小さな分離間隔Ｓを有する状態としながらも、発光体１２の光を対応する発光部Ｅに向けて導光体１３にて導光することによって、３つの加熱力表示部Ｆの発光部Ｅを、発光体１２の光にて適切に発光させることができる。
【００７３】
また、３つの加熱力表示部Ｆにおける全ての発光部Ｅのうちの両端に位置する発光部Ｅと、その発光部Ｅに対応する発光体１２とを、発光部Ｅの並び方向に沿う方向において同じ位置に位置させることにより、全ての発光体１２について、発光体１２と対応する発光部Ｅとが、発光部Ｅの並び方向に沿う方向において大きく位置ずれしないようにすることができるため、発光体１２の光を導光体１３の導光路Ｂにて大きな減衰を生じることなく導き易いものとなる。
【００７４】
さらに、仕切材１３ｃを備えた光路形成部材１３ａと嵌合溝Ｋを備えた光路形成部材１３ｂとを、仕切材１３ｃの先端を嵌合溝Ｋに嵌合させた状態にし、仕切材１３ｃが嵌合した一対の光路形成部材１３ａ、１３ｂを枠体９の挿入部Ｗに挿入して導光体１３を形成することにより、導光体１３の製作の簡素化を図ることができる。
【００７５】
加えて、一対の光路形成部材１３ａ、１３ｂを仕切材１３ｃの先端を嵌合溝Ｋに嵌合させた状態にしたときに、一対の光路形成部材１３ａ、１３ｂに設けた係合部Ｖが係合することにより、一対の光路形成部材１３ａ、１３ｂの発光体１２と発光部Ｅとの遠近方向での移動が規制されるため、一対の光路形成部材１３ａ、１３ｂを枠体９の挿入部Ｗに適切に挿入して、導光体１３を適切に形成できる。
【００７６】
〔別実施形態〕
次に、別実施形態を列記する。
（１）上記実施形態では、加熱調理器としてガスコンロＧＣを例示したが、加熱部として誘導加熱コイルを備えるＩＨコンロ等、種々の加熱調理器に本発明は適用できるものである。
【００７７】
（２）上記実施形態では、加熱部としての３つのコンロバーナ１に対応させて、３つの加熱力表示部Ｆを備えさせる場合を例示したが、２つの加熱部を備えさせる場合には、２つの加熱力表示部Ｆを備えさせることになり、また、４つの加熱部を備えさせる場合には、４つの加熱力表示部Ｆを備えさせることになる。
【００７８】
（３）上記実施形態では、加熱力表示部Ｆを天板３の手前側箇所に設ける場合を例示したが、例えば、加熱力表示部Ｆを加熱調理器の前面部に設けるようにする等、加熱力表示部Ｆの設置箇所は種々変更できる。
【００７９】
（４）上記実施形態では、発光部Ｅを構成する発光板１４を導光体１３の上部に設ける場合を例示したが、例えば、発光板１４を省略して、発光部Ｅを構成する半透明部を天板３に形成する等、発光部Ｅの具体構成は種々変更できる。
【００８０】
（５）上記実施形態では、一対の光路形成部材１３ａ、１３ｂを枠体９に挿入することによって、仕切材１３ｃを嵌合溝Ｋに嵌合させた状態に保持させるようにしたが、一対の光路形成部材１３ａ、１３ｂを接着剤等により接着して、仕切材１３ｃを嵌合溝Ｋに嵌合させた状態に保持させるようにしてもよい。
【００８１】
（６）上記実施形態では、加熱部としてのコンロバーナ１の加熱力（火力）が１３段階や９段階に変更される場合を例示したが、８段階以下、１０段階〜１２段階の間、１４段階以上等、加熱力を変更できる段数は種々変更できるものであり、その加熱力の変更段数に合わせて、加熱力表示部Ｆにて加熱力を表示させることになる。
【００８２】
（７）上記実施形態では、直線状に並ぶ発光部Ｅを、一端側から他端側に向けて順次点灯（点滅）させることにより、加熱力（火力）の大きさを表示させるようにしたが、例えば、直線状に並ぶ発光部Ｅを、中央部から両端側に向けて順次点灯（点滅）させることにより、加熱力（火力）の大きさを表示させるようにする等、直線状に並ぶ発光部Ｅにて加熱力（火力）の大きさを表示させる具体構成は、種々変更できる。
【００８３】
（８）上記実施形態では、複数の加熱力表示部Ｆにおける全ての発光部Ｅのうちの両端に位置する発光部Ｅと、その発光部Ｅに対応する発光体１２とを、発光部Ｅの並び方向に沿う方向において同じ位置に位置させる場合を例示したが、例えば、全ての発光部Ｅのうちの両端に位置する発光部Ｅを、発光部Ｅに対応する発光体１２よりも、発光部Ｅの並び方向に沿う方向において外方側に位置させる形態で実施してもよい。
【００８４】
（９）上記実施形態では、複数の加熱力表示部Ｆについての複数の発光体群を、加熱力表示部Ｆの区分間隔Ｒよりも小さな分離間隔Ｓを隔てる状態で設けるにあたり、発光体群のうちの、他の発光体群に隣接する端部の発光体１２同士の間隔を、発光体群を構成する発光体１２の設置間隔Ｍよりも大きな間隔で並べる場合を例示したが、発光体群のうちの、他の発光体群に隣接する端部の発光体１２同士の間隔を、発光体群を構成する発光体１２の設置間隔Ｍと同じ間隔で並べるようにしてもよい。
【００８５】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００８６】
１      加熱部
３      天板
８      電装基板
９      枠体
１２    発光体
１３    導光体
１３ａ  光路形成部材
１３ｂ  光路形成部材
１３ｃ  仕切材
Ｂ      導光路
Ｂｄ    出光部
Ｂｉ    入光部
Ｅ      発光部
Ｆ      加熱力表示部
Ｋ      嵌合溝
Ｌ      設定間隔
Ｍ      設置間隔
Ｒ      区分間隔
Ｓ      分離間隔
Ｖ      係合部
【図１】
0006684654.tif 000002
【図２】
0006684654.tif 000003
【図３】
0006684654.tif 000004
【図４】
0006684654.tif 000005
【図５】
0006684654.tif 000006
【図６】
0006684654.tif 000007
【図７】
0006684654.tif 000008
【図８】
0006684654.tif 000009
【図９】
0006684654.tif 000010
【図１０】
0006684654.tif 000011
【図１１】
0006684654.tif 000012
【図１２】
0006684654.tif 000013